(57)【要約】      （修正有）【課題】構造が簡単で、コンパクトであり、体積が小さく、ほこりが付かず、手触りが良く、外出時に携帯電話のホルダにもなるイヤホンの保護ケースを提供する。【解決手段】保護ケース本体１と、保護ケース本体の一端に設けられ、保護ケース本体に脱着可能に連結される蓋２とを備えるイヤホンの保護ケースであって、保護ケース本体の一側に溝３と、スライドプレート５とが設けられており、溝の両側にスライドレール４が設けられており、スライドプレートの両側が溝の両側のスライドレールに適合し、溝の両側のスライドレール内をスライドすることができ、スライドプレートの保護ケース本体に近接する他端に、保護ケース本体の他端の形状に合わせるフックが設けられており、スライドプレートが抜き出された後、フックと保護ケース本体の他端との間に、携帯電話を支持できるホルダを形成する。【選択図】図３
0003233722.tif 000002
【実用新案登録請求の範囲】
【請求項１】
保護ケース本体と、前記保護ケース本体の一端に設けられ、前記保護ケース本体に脱着可能に連結される蓋とを備えるイヤホンの保護ケースであって、前記保護ケース本体の一側に溝と、スライドプレートとが設けられており、前記溝の両側にスライドレールが設けられており、前記スライドプレートの両側が前記溝の両側のスライドレールに適合し、前記溝の両側のスライドレール内をスライドすることができ、前記スライドプレートの前記保護ケース本体に近接する他端に、前記保護ケース本体の他端の形状に合わせるフックが設けられており、前記スライドプレートが抜き出された後、前記フックと前記保護ケース本体の他端との間に、携帯電話を支持できるホルダを形成することを特徴とする、イヤホンの保護ケース。
【請求項２】
前記保護ケース本体の内層と底部にゴムクッションが設けられていることを特徴とする、請求項１に記載のイヤホンの保護ケース。
【請求項３】
前記保護ケース本体が硬質プラスチックで作製されることを特徴とする、請求項１に記載のイヤホンの保護ケース。
【請求項４】
前記保護ケース本体の他端に充電口が設けられていることを特徴とする、請求項１に記載のイヤホンの保護ケース。
【請求項５】
前記保護ケース本体の充電口部位に防塵プラグがさらに設けられていることを特徴とする、請求項４に記載のイヤホンの保護ケース。
【考案の詳細な説明】
【技術分野】
【０００１】
本考案は、イヤホンの保護ケースに関する。
【背景技術】
【０００２】
従来のイヤホンの保護ケースは、保護ケース本体と、保護ケース本体の一端に設けられ、保護ケース本体に脱着可能に連結される蓋とを備え、イヤホンを保護する役割を果たし、機能が単一である。携帯電話が広く使用されるにつれて、イヤホンが携帯電話に合わせて用いられる場合も増えてきている。多くの場合他人に影響することなく携帯電話を用いる際に、全てイヤホンを用いる必要があるので、イヤホンの保護ケースがイヤホンを保護できると同時に、さらに新しい機能も有すれば、イヤホンの保護ケースの適用範囲が広くなり、より一層消費者に好まれるようになる。
【考案の概要】
【０００３】
本考案は、従来のイヤホンの保護ケースの機能が単一であるという技術的課題を解決するために、イヤホンの保護ケースを提供する。
【０００４】
以上の技術的課題を解決するために、本考案は以下の技術的手段を用いている。
【０００５】
保護ケース本体と、前記保護ケース本体の一端に設けられ、前記保護ケース本体に脱着可能に連結される蓋とを備えるイヤホンの保護ケースであって、前記保護ケース本体の一側に溝と、スライドプレートとが設けられており、前記溝の両側にスライドレールが設けられており、前記スライドプレートの両側が前記溝の両側のスライドレールに適合し、前記溝の両側のスライドレール内をスライドすることができ、前記スライドプレートの前記保護ケース本体に近接する他端に、前記保護ケース本体の他端の形状に合わせるフックが設けられており、前記スライドプレートが抜き出された後、前記フックと前記保護ケース本体の他端との間に、携帯電話を支持できるホルダを形成するイヤホンの保護ケース。
【０００６】
前記保護ケース本体の内層と底部にゴムクッションが設けられている。
【０００７】
前記保護ケース本体が硬質プラスチックで作製される。
【０００８】
前記保護ケース本体の他端に充電口が設けられている。
【０００９】
前記保護ケース本体の充電口部位に防塵プラグがさらに設けられている。
【００１０】
前記技術的手段により、保護ケース本体の一側に溝と、スライドプレートとが設けられており、前記溝の両側にスライドレールが設けられており、前記スライドプレートの両側が前記溝の両側のスライドレールに適合し、前記溝の両側のスライドレール内をスライドすることができ、前記スライドプレートの前記保護ケース本体に近接する他端に、前記保護ケース本体の他端の形状に合わせるフックが設けられており、前記スライドプレートが抜き出された後、前記フックと前記保護ケース本体の他端との間に、携帯電話を支持できるホルダを形成する。このため、イヤホンを保護できるだけでなく、携帯電話のホルダとしても用いられ得、従来のイヤホンの保護ケースの機能が単一であるという技術的課題を解決した。次に、保護ケース本体の内層と底部にゴムクッションが設けられているので、硬いものに傷付けられないようにイヤホンをより良く保護できる。
【図面の簡単な説明】
【００１１】
【図１】本考案の概略斜視図である。
【図２】本考案の蓋と、防塵プラグ６とが開けられた状態にある概略構成図である。
【図３】本考案のスライドプレート５が開けられた状態にある概略構成図である。
【図４】本考案のスライドプレート５が開けられて携帯電話を支持することに用いられる状態にある概略構成図である。
【図５】本考案のスライドプレート５が開けられた状態にあり、携帯電話を支持することに用いられる概略透視図である。
【図６】本考案のスライドプレート５が開けられた状態にあり、携帯電話を支持することに用いられる概略側面図である。
【考案を実施するための形態】
【００１２】
図１〜６に示すように、保護ケース本体１と、保護ケース本体１の一端に設けられ、保護ケース本体１に脱着可能に連結される蓋２とを備えるイヤホンの保護ケースであって、保護ケース本体１の一側に溝３と、スライドプレート５とが設けられており、溝３の両側にスライドレール４が設けられており、スライドプレート５の両側が溝３の両側のスライドレール４に適合し、溝３の両側のスライドレール４内をスライドすることができ、スライドプレート５の保護ケース本体１に近接する他端に、保護ケース本体１の他端の形状に合わせるフックが設けられており、スライドプレート５が抜き出された後、フックと保護ケース本体１の他端との間に、図４、５、６に示す携帯電話７を支持できるホルダを形成するイヤホンの保護ケース。保護ケース本体１の内層と底部にゴムクッションが設けられていることで、イヤホンの安全性が向上する。保護ケース本体１が硬質プラスチックで作製されることで、汚れにくく、手触りが向上する。保護ケース本体１の他端に充電口が設けられている。保護ケース本体１の充電口部位に防塵プラグ６がさらに設けられている。保護ケース本体１の一側に溝３と、スライドプレート５とが設けられており、溝３の両側にスライドレール４が設けられており、スライドプレート５の両側が溝３の両側のスライドレール４に適合し、溝３の両側のスライドレール４内をスライドすることができ、スライドプレート５の保護ケース本体１に近接する他端に、保護ケース本体１の他端の形状に合わせるフックが設けられており、スライドプレート５が抜き出された後、フックと保護ケース本体１の他端との間に、携帯電話７を支持できるホルダを形成する。このため、イヤホンを保護できるだけでなく、携帯電話７のホルダとしても用いられ得、従来のイヤホンの保護ケースの機能が単一であるという技術的課題を解決した。次に、保護ケース本体の内層と底部にゴムクッションが設けられているので、硬いものに傷付けられないようにイヤホンをより良く保護できる。本考案は、さらに以下のメリットを有する。構造が簡単でコンパクトであり、体積が小さく、ほこりが付かず、手触りが良く、外出時に使用する場合、直接保護ケースから携帯電話７のホルダに変形でき、縦・横にして使用されることをサポートし、さらに他のホルダを携帯する必要がなく、イヤホンの保護の全面性及び機能性が向上し、さらに携帯電話７を使用する際の融通性も大きく向上し、広い応用見通しがある。
【符号の説明】
【００１３】
１    保護ケース本体
２    蓋
３    溝
４    スライドレール
５    スライドプレート
６    防塵プラグ
７    携帯電話
【図１】
0003233722.tif 000003
【図２】
0003233722.tif 000004
【図３】
0003233722.tif 000005
【図４】
0003233722.tif 000006
【図５】
0003233722.tif 000007
【図６】
0003233722.tif 000008